(57)【要約】【課題】奥行き方向の位置が異なるパチンコ球同士についても、それらが接触した状態で停止してしまう球止まりを防止でき、また高さを小さくできるパチンコ機の入賞口装置を提供する。【解決手段】横長の入賞口６を開閉する扉６２と、この扉６２の開放時に入賞口６を通って入球したパチンコ球を横方向に複数個収容可能な横長の入賞室６３とを備えるパチンコ機の入賞口装置であって、入賞室６３の床面６５を、複数個のパチンコ球が一列に整列して流下可能な横方向に延出する形態とした。また、床面６５を形成する第２勾配床面６９を第１勾配床面６８よりも急な下り勾配とすると共に、第２パチンコ球進入抑制部材７１（凸部７２）を設けて、第２勾配床面６９のパチンコ球を最優先で球排出口前置床面７０に進入するようにした。第２勾配床面６９の下り勾配は比較的急にするが、第１勾配床面６８の下り勾配はパチンコ球が自重で流下し得る程度まで小さくした。【選択図】図２
2010051566.tif 000002
【特許請求の範囲】
【請求項１】
横長の入賞口を上端側から開閉自在の扉と、この扉の開放時に前記入賞口を通って入球したパチンコ球を横方向に複数個収容可能な横長の入賞室とを備えるパチンコ機の入賞口装置であって、
前記扉は、開放時に、遊技盤の盤面上を流下してくるパチンコ球の受け面となる扉裏面が前記入賞口側に向かってやや下り傾斜となるように開放角度が設定されてなり、
前記入賞室は、前記扉の奥側において複数個のパチンコ球が一列に整列して流下可能な横方向に延出する床面と、この床面の一方端の奥側に位置し、到達したパチンコ球を室外に排出させる球排出口が形成された室内最低位面とを有してなり、
前記床面は、その他方端から一方端に向けて降下する勾配床面及び前記室内最低位面に通じる球排出口前置床面を有して形成されており、加えて、
前記球排出口前置床面に対して、前記勾配床面側から進入しようとする第１パチンコ球と、前記扉裏面側から進入しようとする第２パチンコ球とが同時に存在する場合に、前記球排出口前置床面への進入につき前記第１パチンコ球を優先させるための第２パチンコ球進入抑制部材を具備することを特徴とするパチンコ機の入賞口装置。
【請求項２】
前記第２パチンコ球進入抑制部材は、前記球排出口前置床面に進入しようとする第２パチンコ球が当接することによってその球排出口前置床面への進入を遅延させる凸部を有する部材であることを特徴とする請求項１に記載のパチンコ機の入賞口装置。
【請求項３】
前記勾配床面は、その他方端から一方端側に向けて順次降下する第１勾配床面及び第２勾配床面からなり、
前記第１勾配床面は、パチンコ球が自重で第２勾配床面側に流下可能な第１下り勾配を有して形成され、前記第２勾配床面は、前記第１下り勾配よりも急な第２下り勾配を有して形成されることを特徴とする請求項１又は２に記載のパチンコ機の入賞口装置。
【発明の詳細な説明】
【技術分野】
【０００１】
本発明は、予め定められた条件を満たすことにより横長の扉が開放し、他の入賞口に比べて短時間に多くのパチンコ球の入賞（入球）が可能な、いわゆる大入賞口を有する大入賞口装置に適用して大なる効果を発揮できるパチンコ機の入賞口装置に関するものである。
【背景技術】
【０００２】
従来から、扉と、この扉の開放時に遊技盤の盤面上を流下するパチンコ球が入球可能な入賞口を有する入賞室とを備えた入賞装置が知られている。
例えば、大当たりと称する遊技時（大当たり時）に、扉が開放して入賞口に入球し、入賞室の底床部に開口する球排出口に流入したパチンコ球が所定数、例えば１０個計数されるか、所定時間、例えば３０秒経過すると扉が閉じるという動作を、所定の条件の下、所定時間、例えば５秒間隔で所定回数繰り返されるという入賞装置が知られている。
このような入賞装置では、扉が開放したときには短時間に多くのパチンコ球が入賞口に入球可能に、その入賞口及び入賞室が横長状に形成され、入賞室の底床部の奥側に球排出口が形成されるのが一般的である。しかしこのような入賞装置においては、パチンコ球が球排出口に流入するまでの時間が長くなることがあり、設定数以上、例えば１０個以上のパチンコ球が入賞室に入球し易くなるという問題点があった。
【０００３】
そこで従来、「球が流入可能な入賞口を有する入賞室と、前記入賞口を開閉する扉部材と、をそれぞれ備え、前記入賞室の底床部は、その幅方向略中央部の前側から奥側に延びる段差壁を有し、その段差壁の一側部に低床部、他側部に高床部を有して段差状に形成され、前記入賞室の底床部の奥側には前記低床部側に位置して球排出口が形成されている」という入賞装置が開発された（特許文献１参照）。
このような従来技術によれば、入賞室の底床部上をパチンコ球が左右方向に往復動する幅寸法を段差壁において小さく制限することができるので、入賞室に流入したパチンコ球が球排出口に流入するまでに要する時間を短縮でき、設定数以上のパチンコ球が入賞室に入球し易くなるという問題点を解消し得る。
【０００４】
【特許文献１】特開２００３−２８４８３４号公報
【発明の開示】
【発明が解決しようとする課題】
【０００５】
上記従来技術では、奥行き方向の位置が同じパチンコ球同士の接触については、それらのパチンコ球間における球止まりを防止することができる。しかし、奥行き方向の位置が異なるパチンコ球同士、例えば入賞室側のパチンコ球と開放中の扉部材側のパチンコ球との間で生じる球止まりについては防止できず、この場合は全パチンコ球が球排出口に流入するまでに要する時間を短縮できない。
また上記従来技術では、球排出口を入賞装置の横方向中央部に形成したため、その左右側と扉側との３方向からパチンコ球を受けることになり、入賞室内に高い段差を設ける構成となった。このため、装置の高さ方向の寸法が大きくなるという問題点があった。
【０００６】
本発明は、上記のような問題点を解消することを課題とするもので、奥行き方向の位置が同じパチンコ球同士についても、また奥行き方向の位置が異なるパチンコ球同士についても、それらが接触した状態で停止してしまう球止まりを防止でき、しかも高さ方向の小型化が可能なパチンコ機の入賞口装置を提供することにある。
【課題を解決するための手段】
【０００７】
上記課題を解決するための手段を以下に述べる。
各手段は、項に区分し、各項に番号を付し、必要に応じて他の項の番号を引用する形式で記載する。これは、本発明の理解を容易にするためであって、本明細書に記載の技術的特徴が以下の各項に記載のものに限定されるものではない。
以下の各手段のうち、（１）項が請求項１に、（３）項が請求項２に、（６）項が請求項３に、各々対応する。（２）項、（４）項、（５）項は請求項に係る発明ではない。
【０００８】
（１）横長の入賞口を上端側から開閉自在の扉と、この扉の開放時に前記入賞口を通って入球したパチンコ球を横方向に複数個収容可能な横長の入賞室とを備えるパチンコ機の入賞口装置であって、前記扉は、開放時に、遊技盤の盤面上を流下してくるパチンコ球の受け面となる扉裏面が前記入賞口側に向かってやや下り傾斜となるように開放角度が設定されてなり、前記入賞室は、前記扉の奥側において複数個のパチンコ球が一列に整列して流下可能な横方向に延出する床面と、この床面の一方端の奥側に位置し、到達したパチンコ球を室外に排出させる球排出口が形成された室内最低位面とを有してなり、前記床面は、その他方端から一方端に向けて降下する勾配床面及び前記室内最低位面に通じる球排出口前置床面を有して形成されており、加えて、前記球排出口前置床面に対して、前記勾配床面側から進入しようとする第１パチンコ球と、前記扉裏面側から進入しようとする第２パチンコ球とが同時に存在する場合に、前記球排出口前置床面への進入につき前記第１パチンコ球を優先させるための第２パチンコ球進入抑制部材を具備することを特徴とするパチンコ機の入賞口装置。
（２）前記第２パチンコ球進入抑制部材は、前記入賞室の一方端をなす壁面に一体成形されることを特徴とする（１）項に記載のパチンコ機の入賞口装置。
本項に記載の発明によれば、第２パチンコ球進入抑制部材を低コストで形成できる。
（３）前記第２パチンコ球進入抑制部材は、前記球排出口前置床面に進入しようとする第２パチンコ球が当接することによってその球排出口前置床面への進入を遅延させる凸部を有する部材であることを特徴とする（１）項又は（２）項に記載のパチンコ機の入賞口装置。
（４）前記凸部は、前記球排出口前置床面の上方の前記扉に寄った位置に突出形成されることを特徴とする（３）項に記載のパチンコ機の入賞口装置。
本項に記載の発明によれば、第２パチンコ球進入抑制のために第２パチンコ球を当接させるに当たって、凸部を効果的に作用させることができる。
（５）前記凸部は、前記球排出口前置床面に進入した前記第１パチンコ球が当接可能であって、当接した第１パチンコ球を前記室内最低位面方向に向かわせる斜面を有することを特徴とする（３）項又は（４）項に記載のパチンコ機の入賞口装置。
本項に記載の発明によれば、１つの凸部を有効活用できる。
（６）前記勾配床面は、その他方端から一方端側に向けて順次降下する第１勾配床面及び第２勾配床面からなり、前記第１勾配床面は、パチンコ球が自重で第２勾配床面側に流下可能な第１下り勾配を有して形成され、前記第２勾配床面は、前記第１下り勾配よりも急な第２下り勾配を有して形成されることを特徴とする（１）項〜（５）項のうちのいずれか１の項に記載のパチンコ機の入賞口装置。
【発明の効果】
【０００９】
（１）項に記載の発明では、奥行き方向の位置が同じパチンコ球同士については、勾配床面に整列して球排出口前置床面に向かって流下するように構成した。また、球排出口前置床面への進入につき、扉裏面側のパチンコ球よりも床面側のパチンコ球を優先させるためのパチンコ球進入抑制部材を設けた。したがって、（１）項に記載の発明によれば、奥行き方向の位置が同じパチンコ球同士についても、また奥行き方向の位置が異なるパチンコ球同士についても、それらが接触した状態で停止してしまう球止まりを防止できる。また、球排出口を装置横方向の一方端に設けたので、パチンコ球の合流は床面側と扉裏面側の２方向だけとなり、入賞室内に高い段差（急勾配）は不要となって高さ方向の小型化が可能となる。
（３）項に記載の発明によれば、凸部という簡単な構成によって（１）項に記載の発明の効果を得ることができる。
（６）項に記載の発明によれば、第２勾配床面の下り勾配を比較的急にするが、第１勾配床面の下り勾配はパチンコ球が自重で流下し得る程度まで小さくし得るので、装置の高さ方向の小型化をより効果的に図れる。
なお、（２）項、（４）項、（５）項に記載の発明は、本発明（特許請求の範囲に記載した発明）ではないので、上記課題を解決するための手段の欄に、その効果を述べた。
【発明を実施するための最良の形態】
【００１０】
以下、本発明の実施の形態を図面に基づき説明する。なお、各図間において、同一符号は同一又は相当部分を示す。
図１は、本発明が適用されたパチンコ機の一例の要部を示す正面図である。
この図において、１はパチンコ機の遊技盤の盤面である。この盤面１上にはほぼ円弧状にレール２が取り付けられており、このレール２の内側には、遊技領域３が設定されている。レール２は、図示しないハンドルの操作により発射されたパチンコ球（図示せず）を盤面１の左側上部から遊技領域３へ送り込むように案内する。
【００１１】
盤面１上には、レール２の他にも種々の盤面構成部品が設けられている。すなわち、盤面１のほぼ中央には液晶表示器等からなる図柄表示装置４が設けられ、その真下には始動入賞口５が設けられ、また、始動入賞口５の直下には大入賞口６を備えた詳細を後述する大入賞口装置６１が設けられている。その他、いくつかの一般入賞口７…、ランプ８、風車９等が盤面１上に設けられている。
【００１２】
盤面１上のレール２の内側の最下部には、入賞しなかったパチンコ球を回収するアウト口１０が設けられ、更に、上記各部品４〜９やアウト口１０を避けた適宜箇所には、多数の遊技釘１１（一部のみ図示）が打ち込まれている。なお、盤面１は透明ガラス板により覆われ、パチンコ球の遊技領域３からの離脱が阻止される。
【００１３】
上記図柄表示装置４の画面４ａの表示領域は、所定方向に複数の、ここでは横方向に左、中、右、３つの表示領域ＬＡ，ＣＡ，ＲＡに分けられている。
これら３つの表示領域ＬＡ，ＣＡ，ＲＡには各々図柄Ｌ，Ｃ，Ｒが表示されるが、表示される図柄Ｌ，Ｃ，Ｒは変動可能であり、また、変動開始すると所定時間後に停止するようになされている。この表示図柄Ｌ，Ｃ，Ｒは、ここでは３つの表示領域ＬＡ，ＣＡ，ＲＡ共に０〜９までの数字であり、変動表示時にはこの数字０〜９が繰返し表示される。表示図柄Ｌ，Ｃ，Ｒの変動は、始動入賞口５へのパチンコ球の入賞により行われる大当たり抽選と共に、又は抽選直後に開始される。
大当たり抽選の結果が大当たりになると（大当たり時には）、大入賞口装置６１が作動、具体的には大入賞口装置６１の後述する扉が開放、つまり大入賞口６が開放し、他の一般入賞口７や始動入賞口５に比べて短時間に多くのパチンコ球が入賞可能となる。
なお、本発明は図１に示す形態の他、種々の形態の盤面１に適用可能である。
【００１４】
上述したように、始動入賞口５の直下には大入賞口装置６が設けられている。
以下、この大入賞口装置６１の一実施形態を詳細に説明する。
図２は図１中の大入賞口装置６１を取り出し拡大して示す斜視図、図３は同じく正面図、図４は同じく平面図、図５は同じく右側面図である。
また、図６は図３中のＡ−Ａ線断面矢視図、図７は図４中のＢ−Ｂ線断面矢視図、図８は図４中のＣ−Ｃ線断面矢視図であり、図９及び図１０は各々動作説明のための図３中のＡ−Ａ線断面矢視図である。
【００１５】
図２〜図８に示すように、本実施形態に係る大入賞口装置６１は、平板状のベース部２１と、このベース部２１にねじ止め等で一体化されるケース部２２とを備えて構成され、ベース部２１の正面四隅の孔２３にビス等を通して図１に示すように盤面１に取り付けられる。ベース部２１の正面中央部分には横長の大入賞口６が開口している。ケース部２２は合成樹脂により一体成形されている。
大入賞口装置６１は、上記大入賞口６を開閉自在の扉６２を有し、また、この扉６２の開放時に上記大入賞口６を通って入球したパチンコ球を横方向に複数個、図示例では５個程度、収容可能な横長の入賞室６３をケース部２２内に有する。
【００１６】
上記扉６２は、その下部の左右両側から側方に突出する一対の支軸６２ａを支点として、上端側から開閉自在にベース部２２に取り付けられている。そして、その開放時において、盤面１（図１参照）上を流下してくるパチンコ球の受け面となる扉裏面６４が大入賞口６側に向かってやや下り傾斜となるように開放角度が設定されている。
【００１７】
また入賞室６３は、扉６２の奥側において５個程度のパチンコ球が一列に整列して転動、流下可能な横方向に延出する床面６５と、この床面６５の一方端、図示例では右端の奥側に位置する室内最低位面６６とを有して形成されている。
そしてこの室内最低位面６６には、ここに到達したパチンコ球を入賞室６３外、つまり装置（ケース部２２）外に排出させる球排出口６７が形成されている。この球排出口６７には、大入賞口６に入球したパチンコ球を計数するためのパチンコ球検出器１００が組み込まれている。
このパチンコ球検出器１００は、ここでは球排出口６７を囲むようにリング状に形成され、球排出口６７から落下、排出されるパチンコ球を検出可能である。同検出器１００によるパチンコ球検出信号はパチンコ機の制御装置（図示せず）に与えられ、計数される。
【００１８】
上記床面６５は、その他方端から一方端、図示例では左端から右端に向けて順次降下する第１勾配床面６８、第２勾配床面６９及び上記室内最低位面６６に通じる球排出口前置床面７０を有して形成されている。
この場合、第１勾配床面６８は、パチンコ球が自重で円滑に第２勾配床面６９側へ転動、流下し得る程度の第１下り勾配αを有して形成され、第２勾配床面６９は、第１下り勾配αよりも急な第２下り勾配βを有して形成されている（図７参照）。
【００１９】
また、本実施形態に係る大入賞口装置６１は、図９に示すように、パチンコ球の合流部をなす球排出口前置床面７０に対して、第２勾配床面６９側から進入しようとする第１パチンコ球Ｐ１と、扉裏面６４側から進入しようとする第２パチンコ球Ｐ２とが、球排出口前置床面７０近傍に同時に存在する場合に、第１パチンコ球Ｐ１を優先して球排出口前置床面７０に進入させるための第２パチンコ球進入抑制部材７１を備える。
具体的には、上記のように第１パチンコ球Ｐ１及び第２パチンコ球Ｐ２が存在する場合に、球排出口前置床面７０の前側（入賞室正面側）に位置する扉裏面６４上の第２パチンコ球Ｐ２に対して球排出口前置床面７０への進入を遅延させるように形成された第２パチンコ球進入抑制部材７１を備える。
【００２０】
球排出口前置床面７０への第２パチンコ球Ｐ２の進入が遅延されると、第１パチンコ球Ｐ１は、その間に第２パチンコ球Ｐ２に当たることなく、あるいは第２パチンコ球Ｐ２に当たっても自身がもつ慣性力によりこれを押し退けながら球排出口前置床面７０へ進入する。すなわち、第１パチンコ球Ｐ１は第２パチンコ球Ｐ２に優先して球排出口前置床面７０へ進入する。
第２勾配床面６９は球排出口前置床面７０より高く、球排出口前置床面７０は室内最低位面６６より高く、各々高さ位置が設定されているので、球排出口前置床面７０へ進入した第１パチンコ球Ｐ１は、その後、室内最低位面６６に到達する。そして、球排出口６７を通って、つまりパチンコ球検出器１００で大入賞口入賞球として計数されて、入賞室６３外、つまり装置外に排出される、というように構成されている。
なお、第２パチンコ球Ｐ２は、第１パチンコ球Ｐ１の後を追うようにして、第１パチンコ球Ｐ１と同様に、球排出口前置床面７０へ進入し、室内最低位面６６に到達し、球排出口６７を通って装置外に排出される。
【００２１】
本実施形態において、上記第２パチンコ球進入抑制部材７１は次のように構成されている。
すなわち、図９、図１０、及びこれら両図中の矢印ア，イ，ウに示すように、球排出口前置床面７０に進入しようとする第２パチンコ球Ｐ２が当接することによってその球排出口前置床面７０への進入を遅延させる凸部７２を有して構成されている。
この凸部７２は、図示例では球排出口前置床面７０の上方の扉６２に寄った位置に、左方に向かって突出形成されている。またこの凸部７２は、球排出口前置床面７０に進入した第１パチンコ球Ｐ１も当接可能であって、第１パチンコ球Ｐ１が当接した場合には、これを室内最低位面６６の方向に向かわせる角度に設定された斜面７３を有して形成されている。
このような凸部７２を有する第２パチンコ球進入抑制部材７１は、本実施形態では図示するように入賞室６３の右端をなす壁面７４に一体成形されている。
なお各図において、１０１は、扉６２を開閉する扉開閉用ソレノイドであり、ケース部２２に取り付けられている。この扉開閉用ソレノイド１０１は、大当たり時にパチンコ機の制御装置によって励磁されることにより、扉６２を、閉成した状態から、図２〜図１０に示すように開放した状態に作動させ、大入賞口６を開放状態とする。なお、図１１に閉成した状態の扉６２の正面図を示す。
【００２２】
次に、上述実施形態の動作について説明する。
図１において、ハンドル操作により発射されたパチンコ球（図示せず）は、レール２により案内されて盤面１の左側上部から遊技領域３内に打ち込まれ、遊技が開始される。
遊技領域４内に打ち込まれたパチンコ球は、種々の盤面構成部品８，９等や遊技釘１１によって方向や速度を変化させながら遊技領域４を流下し、入賞口５〜７のいずれかに入賞するか、アウト口１０にて回収される。
パチンコ球が、入賞口５〜７のいずれかに入賞（入球）すると、その入賞口５〜７の種類に応じて決められた数の賞球が払い出される。
【００２３】
始動入賞口５にパチンコ球が入賞すると、図柄表示装置４の画面４ａの３つの表示領域ＬＡ，ＣＡ，ＲＡにおいて各々図柄Ｌ，Ｃ，Ｒが変動表示され、所定時間後に停止する。停止時の各図柄Ｌ，Ｃ，Ｒが所定の種類、例えば数字の「７」で揃っていると大当たりになる。この大当たり時には、大入賞口装置６１が作動して扉６２、つまり大入賞口６が開放し、多数のパチンコ球が入賞し得る状態となる。
【００２４】
なお図柄表示装置４は、遊技の進行に伴って上記図柄Ｌ，Ｃ，Ｒの変動表示の他、種々の動画等を表示して遊技の演出を行い、遊技を楽しませる。また、ランプ８やスピーカ（図示せず）も、上記のような図柄表示装置４による演出に伴って点消灯し、あるいは演出音を出力し、遊技を楽しませる。
【００２５】
さて、上述したように大当たり時には、扉開閉用ソレノイド１０１が励磁され、大入賞口装置６１が作動状態となってその扉６２、つまり大入賞口６が開放し、多数のパチンコ球が入賞し得る状態となる。
すなわち、扉６２が開放すると、図１に示す盤面１上において、大入賞口装置６１の上方から流下してきたパチンコ球が横長の扉裏面６４で受け止められ、同じく横長の大入賞口６に向かって流下し、同大入賞口６を通って入賞室６３内に入る。入賞室６３内に入ったパチンコ球は、床面６５を転動、流下して室内最低位面６６に到達し、球排出口６７から落下、排出される。
パチンコ球検出器１００は、球排出口６７からのパチンコ球の排出を検出し、検出信号をパチンコ機の制御装置に与える。この制御装置は、検出信号を計数して計数値が１０に達するか、扉開放後、３０秒経過すると扉６２を閉じる、というラウンド動作を所定時間間隔おいて所定回数（ラウンド）繰り返させる。ここでは、５秒間隔おいて１６回繰り返され、その後、大当たり遊技を終了させる。
【００２６】
このように大当たり時には、横長で他の入賞口よりも大きく開口する大入賞口６が開放するので、短時間で多数のパチンコ球が入球し得る状態となる。
本実施形態に係る大入賞口装置６１では、流下してくるパチンコ球の受け面となる扉裏面６４を大入賞口６側に向けてやや下り傾斜とした。そして、床面６５を、複数個のパチンコ球が一列に整列して流下可能に形成し、また入賞室６３を、５個程度のパチンコ球を収容可能に形成した。
したがって、扉裏面６で受け止められたパチンコ球は、入賞室６３の床面６５側に移動し、多くの場合、最終的に床面６５（６８〜７０）において整列されて室内最低位面６６に滞りなく送られ、球排出口６７から排出される。すなわち、奥行方向の位置が同じ複数のパチンコ球について、球止まりなく室内最低位面６６に送られ、球排出口６７から排出される。
【００２７】
しかし図９に示すように、第２勾配床面６９側から球排出口前置床面７０に進入しようとする第１パチンコ球Ｐ１と、扉裏面６４側から球排出口前置床面７０に進入しようとする第２パチンコ球Ｐ２とが、パチンコ球Ｐ１，Ｐ２の合流部をなす球排出口前置床面７０近傍に同時に存在する場合がある。
このような場合には、球排出口前置床面７０に入りきる手前で第１パチンコ球Ｐ１と第２パチンコ球Ｐ２とが当接し、その状態でバランスして両パチンコ球Ｐ１，Ｐ２共に停止し、その後の動きがとれなくなることがある。いわゆる、球止まりの発生である。
【００２８】
球止まりが発生すると入球球の計数が遅れるため、設定数以上、ここでは１０個以上のパチンコ球が入賞室６３に入球し易くなり、したがって球止まりは防止されなければならない。
本実施形態では、上記のように第１パチンコ球Ｐ１及び第２パチンコ球Ｐ２が存在する場合に、球排出口前置床面７０の前側（図９中、下側）に位置する扉裏面６４上の第２パチンコ球Ｐ２に対して、球排出口前置床面７０への進入を遅延させる第２パチンコ球進入抑制部材７１を設けた。
【００２９】
この第２パチンコ球進入抑制部材７１は、図９に示すように、球排出口前置床面７０に進入しようとする第２パチンコ球Ｐ２が当接することによってその球排出口前置床面７０への進入を遅延させる凸部７２を有する。図示例では、凸部７２は球排出口前置床面７０の上方の扉６２に寄った位置に、左方に向かって突出形成されているが、図示形態に限定されることはない。
いずれにしても、第２パチンコ球進入抑制部材７１の凸部７２が設けられていることにより、第２パチンコ球Ｐ２は、扉裏面６４の右端近傍から球排出口前置床面７０に進入しようとした場合に凸部７２に当接し、その球排出口前置床面７０方向への進行が抑制される。つまり、球排出口前置床面７０への進入移動が一旦、止められる。
【００３０】
一方、第１パチンコ球Ｐ１は、下り勾配の第２勾配床面６９を何ら障害なく流下してくるので、第２パチンコ球Ｐ２に比べて慣性力が大きく勢いがあり、迅速に球排出口前置床面７０に進入してくる。したがって、球排出口前置床面７０への進入が遅延、抑制された第２パチンコ球Ｐ２を矢印イに示す方向に押し退け、矢印ア方向、つまりほぼ直進して球排出口前置床面７０に進入する。第２パチンコ球Ｐ２の球排出口前置床面７０への進入遅延が比較的大きい場合には、第１パチンコ球Ｐ１は第２パチンコ球Ｐ２に当たることなく球排出口前置床面７０へ進入する。すなわち、第１パチンコ球Ｐ１は第２パチンコ球Ｐ２に優先して球排出口前置床面７０へ進入する（図１０中、矢印ウ参照）。
【００３１】
第１パチンコ球Ｐ１は、球排出口前置床面７０に進入後、室内最低位面６６に向かって転動、流下するが、本実施形態では、球排出口前置床面７０に進入した第１パチンコ球Ｐ１が凸部７２に当接した場合に、この第１パチンコ球Ｐ１を室内最低位面６６の方向に向かわせる角度に設定された斜面７３を凸部７２に形成している。
したがって、球排出口前置床面７０に進入した第１パチンコ球Ｐ１は、円滑、迅速に室内最低位面６６に到達し、球排出口６７から入賞室６３外に排出される。すなわち、入賞室６３に流入し、第２勾配床面６９を流下する第１パチンコ球Ｐ１等のパチンコ球について、球排出口６７に流入するまでに要する時間の短縮に寄与させ得る。
このような凸部７２を有する第２パチンコ球進入抑制部材７１は、本実施形態では入賞室６３の右端をなす壁面７４に一体成形、具体的にはケース部２２に一体成形したので、製作コストの低減が図れる。
【００３２】
以上述べたように本実施形態では、入賞室６３の床面６５を、複数個のパチンコ球が一列に整列して流下可能な横方向に延出する形態とし、かつ、床面６５を形成する第２勾配床面６９を第１勾配床面６８よりも急な下り勾配とすると共に、第２パチンコ球進入抑制部材７１（凸部７２）を設けて、第２勾配床面６９のパチンコ球を最優先で球排出口前置床面７０に進入するようにした。
したがって本実施形態によれば、奥行き方向の位置が同じパチンコ球同士についても、また奥行き方向の位置が異なるパチンコ球Ｐ１，Ｐ２（図９、図１０参照）同士についても、それらが接触した状態で停止してしまう球止まりを防止できる。
また上述し、図７に示すように、第２勾配床面６９の下り勾配βは比較的急にするが、第１勾配床面６８の下り勾配αはパチンコ球が自重で流下し得る程度まで小さくし得るので、装置の高さ方向の小型化が図れる。
【００３３】
なお図示例では、室内最低位面６６（球排出口６７）を入賞室床面６５の右端の奥側に設けたが、これを同床面６５の左端の奥側に設けてもよい。この場合、床面６５の下り勾配の形成方向は左右逆になり、また、第２パチンコ球進入抑制部材７１等、左右片側にしかない構成部材の左右位置は反転する。
【図面の簡単な説明】
【００３４】
【図１】本発明が適用されたパチンコ機の一例の要部を示す正面図である。
【図２】図１中の大入賞口装置を取り出し拡大して示す斜視図である。
【図３】同じく正面図である。
【図４】同じく平面図である。
【図５】同じく右側面図である。
【図６】図３中のＡ−Ａ線断面矢視図である。
【図７】図４中のＢ−Ｂ線断面矢視図である。
【図８】図４中のＣ−Ｃ線断面矢視図である。
【図９】動作説明のための図３中のＡ−Ａ線断面矢視図である。
【図１０】同じく図３中のＡ−Ａ線断面矢視図である。
【図１１】閉成時の大入賞口装置を拡大して示す正面図である。
【符号の説明】
【００３５】
１：盤面、６：大入賞口、６１：大入賞口装置、６２：扉、６３：入賞室、６４：扉裏面、６５：床面、６６：室内最低位面、６７：球排出口、６８：第１勾配床面、６９：第２勾配床面、７０：球排出口前置床面、７１：第２パチンコ球進入抑制部材、７２：凸部、７３：斜面、７４：壁面、１００パチンコ球検出器、Ｐ１：第１パチンコ球、Ｐ２：第２パチンコ球、α：第１下り勾配、β：第２下り勾配。
【図１】
2010051566.tif 000003
【図２】
2010051566.tif 000004
【図３】
2010051566.tif 000005
【図４】
2010051566.tif 000006
【図５】
2010051566.tif 000007
【図６】
2010051566.tif 000008
【図７】
2010051566.tif 000009
【図８】
2010051566.tif 000010
【図９】
2010051566.tif 000011
【図１０】
2010051566.tif 000012
【図１１】
2010051566.tif 000013